(57)【要約】【課題】汚水バケツ内の水を捨てるような手間を発生させることなく、温水タンク内に貯留された洗浄水を排水することを可能とする。【解決手段】温水タンク４３の洗浄水を排水する場合、制御部５０は、電磁弁４２に電圧を印加して開放状態とするとともに、給水ポンプ４１に印加する電源電圧の正負を入れ替えることにより給水ポンプ４１を逆転動作させる。その結果、温水タンク４３内に貯留されていた洗浄水は、給水ポンプ４１により吸引されて、電磁弁４２を経由して給水タンク５に排水されることとなる。【選択図】図８
2014012093.tif 000002
【特許請求の範囲】
【請求項１】
ノズルから洗浄水を噴出して利用者の局部を洗浄するための洗浄便座装置が備えられたポータブルトイレ装置であって、
前記ノズルから噴出するための洗浄水を貯留して所定温度まで加温するための温水タンクと、
前記温水タンクに給水する水を溜めておくための給水タンクと、
前記給水タンクに溜められている水を前記温水タンクに給水するための給水ポンプと、
前記給水ポンプと前記温水タンクとの間に設けられ、閉鎖状態となることにより前記温水タンクからの洗浄水の逆流を防止するための電磁弁と、
前記給水タンクに溜められている水を前記温水タンクに給水する場合には、前記電磁弁を開放状態とし、前記給水ポンプを正転動作させることにより給水タンクに溜められている水が前記温水タンクに給水されるような制御を行い、前記温水タンク内に貯留されている洗浄水を排水する場合には、前記電磁弁を開放状態とし、前記給水ポンプを逆転動作させることにより前記温水タンク内の洗浄水が前記給水タンクに排水されるような制御を行う制御手段と、
を備えているポータブルトイレ装置。
【請求項２】
前記電磁弁は、電圧が印加されていない場合には閉鎖状態となることにより、前記給水ポンプと前記温水タンクとの間の水流を遮断する構成となっている請求項１記載のポータブルトイレ装置。
【請求項３】
前記給水ポンプは、電動機にて回転するギヤの回転によって前記給水タンクの水を前記温水タンクへ供給したり、前記給水タンク内の洗浄水を前記給水タンクに排水する構成となっているギヤポンプである請求項１または２記載のポータブルトイレ装置。
【発明の詳細な説明】
【技術分野】
【０００１】
本発明は、給水タンクから温水タンクに水を給水し、この温水タンクに貯留させヒータ等により加温した洗浄水をノズルから噴出して、便座に着座した利用者の局部を洗浄するポータブルトイレ装置に関する。
【背景技術】
【０００２】
近年、家庭内や公共施設に設置されている多くのトイレには、便座に着座した利用者の局部をノズルから噴出した洗浄水により洗浄する温水洗浄便座装置が取り付けられている。このような温水洗浄便座装置では、内部に温水タンクが設けられ、この温水タンクに洗浄水を貯留し、この温水タンクに貯留した洗浄水を洗浄ノズルから噴出して、便座に着座した利用者の局部を洗浄するという動作が行われる。また、このような温水洗浄便座装置にあっては、温水タンクに貯留された洗浄水は、ヒータにより温水化され、予め設定された温度付近の洗浄水となるような制御が行われる。
【０００３】
このような温水洗浄便座装置では、電源がオン状態であれば、温水タンクに貯留されている洗浄水が温められるため、例え周囲が低温となった場合でも凍結するようなことはない。しかし、冬季等の気温が低い環境下において主電源オフや洗浄水を温めるためのヒータをオフとするような状態で長時間放置されると、温水タンクに貯留された洗浄水が凍結してしまい温水タンクが破損してしまう可能性がある。そのため、このような温水タンクの破損を防止するために、例えば、取扱説明書には温度調整スイッチ（温水モード）をオフにしないような注意書きや、温水タンクに貯留した洗浄水を水抜きして温水タンク内部を空にする方法等の注意書きをして対策をしている。
【０００４】
また、近年の高齢化に伴う要介護者の増加により、トイレまでの移動が困難な要介護者のために、水道が設けられていない場所等で使用されるポータブルトイレ装置の需要も増えており、このようなポータブルトイレ装置においても、洗浄便座装置を取り付けたものが市販されるようになっている。
【０００５】
このようなポータブルトイレ装置では、特定の要介護者のみが利用することが多く、普段使用している要介護者が入院したり介護サービス等を利用して長期間別の場所で生活する等の可能性があるため、長期間使用されなくなってしまうような状況が発生し易い。よって、ポータブルトイレ装置に温水洗浄便座装置を設置した場合、温水タンクを排水して空にする必要性が発生する頻度が高い。
【０００６】
このような温水タンクの排水のため、例えば、特許文献１、２には、温水洗浄便座ユニットの側面に温水タンクの洗浄水を排水するための水抜き穴を設け、水抜き穴を封止していた排水栓を取り外すことにより温水タンク内の洗浄水を便器内に排水することができるような水抜き構造を有するトイレ装置も提案されている。
【先行技術文献】
【特許文献】
【０００７】
【特許文献１】特開平８−９３０３２号公報
【特許文献２】特開平８−９３０３３号公報
【発明の概要】
【発明が解決しようとする課題】
【０００８】
しかし、上記の特許文献１、２記載のトイレ装置のような排水方法をポータブルトイレ
装置に適用した場合、排水された洗浄水は汚水バケツ（汚水トレイ）に溜まることになる。そのため、このような構成を採用したポータブルトイレ装置では、長期間使用しないことが明らかになった等の理由により、給水タンクと温水タンクの両方の水を排水しようとすると、給水タンクを装置本体から取り外して中の水を捨てに行くだけでなく、温水タンクから洗浄水が排水された汚水バケツを装置本体から取り外して中の水を捨てに行かなければならないという２回の手間が発生する。
【０００９】
特に、汚水バケツは給水タンク等よりも大きいサイズとなっているため、装置本体から取り外したり、再度装置本体に装着する手間が非常に煩わしいものとなる。
【００１０】
そこで、本発明は、上記問題点を解決することを課題とし、汚水バケツ内の水を捨てるような手間を発生させることなく、温水タンク内に貯留された洗浄水を排水することが可能なポータブルトイレ装置を提供することを目的とする。
【課題を解決するための手段】
【００１１】
上記目的を達成するために、本発明のポータブルトイレ装置は、ノズルから洗浄水を噴出して利用者の局部を洗浄するための洗浄便座装置が備えられたポータブルトイレ装置であって、
前記ノズルから噴出するための洗浄水を貯留して所定温度まで加温するための温水タンクと、
前記温水タンクに給水する水を溜めておくための給水タンクと、
前記給水タンクに溜められている水を前記温水タンクに給水するための給水ポンプと、
前記給水ポンプと前記温水タンクとの間に設けられ、閉鎖状態となることにより前記温水タンクからの洗浄水の逆流を防止するための電磁弁と、
前記給水タンクに溜められている水を前記温水タンクに給水する場合には、前記電磁弁を開放状態とし、前記給水ポンプを正転動作させることにより給水タンクに溜められている水が前記温水タンクに給水されるような制御を行い、前記温水タンク内に貯留されている洗浄水を排水する場合には、前記電磁弁を開放状態とし、前記給水ポンプを逆転動作させることにより前記温水タンク内の洗浄水が前記給水タンクに排水されるような制御を行う制御手段とを備えている。
【００１２】
本発明によれば、温水タンク内に貯留されている洗浄水を排水する際には、排水された洗浄水は汚水バケツではなく給水タンク内に排水されるため、汚水バケツ内の水を捨てるような手間を発生させることなく、温水タンク内に貯留された洗浄水を排水することが可能になる。
【００１３】
また、本発明のポータブルトイレ装置は、前記電磁弁を、電圧が印加されていない場合には閉鎖状態となることにより、前記給水ポンプと前記温水タンクとの間の水流を遮断する構成としても良い。
【００１４】
本発明によれば、温水タンクへの給水および温水タンク内の洗浄水の排水が行われる場合以外は、電磁弁に電圧を印加する必要が無いので消費電力を削減することが可能となる。
【００１５】
また、本発明のポータブルトイレ装置では、前記給水ポンプを、電動機にて回転するギヤの回転によって前記給水タンクの水を前記温水タンクへ供給したり、前記給水タンク内の洗浄水を前記給水タンクに排水する構成となっているギヤポンプとしても良い。
【発明の効果】
【００１６】
本発明によれば、汚水バケツ内の水を捨てるような手間を発生させることなく、温水タ
ンク内に貯留された洗浄水を排水することが可能になる。
【図面の簡単な説明】
【００１７】
【図１】本発明の一実施形態に係る温水洗浄便座付ポータブルトイレ装置の正面斜視図である。
【図２】本発明の一実施形態に係る温水洗浄便座付ポータブルトイレ装置の背面斜視図である。
【図３】図１、図２中に示した温水洗浄便座ユニット３の正面斜視図である。
【図４】本発明の一実施形態に係る温水洗浄便座付ポータブルトイレ装置において、温水洗浄便座ユニット３、汚水バケツ４、給水タンク５の位置関係を説明するための背面斜視図である。
【図５】外装カバー３１ａを外した、温水洗浄便座本体部３１の内部構造の正面斜視図である。
【図６】図５に示した給水ポンプ４１の一構成例を説明するための図である。
【図７】本発明の一実施形態に係る温水洗浄便座付ポータブルトイレ装置における通常使用状態での水の流れを説明するための図である。
【図８】本発明の一実施形態に係る温水洗浄便座付ポータブルトイレ装置において、温水タンク４３内の洗浄水を排水する際の水の流れを説明するための図である。
【発明を実施するための形態】
【００１８】
以下、本発明の実施形態を、図面を用いて詳細に説明する。但し、以下に示す実施形態は、本発明の技術的思想を具体化するための洗浄便座装置及び洗浄便座付ポータブルトイレ装置を例示するものであって、本発明をこの洗浄便座装置及び洗浄便座付ポータブルトイレ装置に特定することを意図するものではない。本発明は特許請求の範囲に含まれるその他の実施形態のものにも適応し得るものである。
【００１９】
図１は本発明の一実施形態に係る温水洗浄便座付ポータブルトイレ装置１の正面斜視図であり、図２は温水洗浄便座付ポータブルトイレ装置１の背面斜視図である。本実施形態に係る温水洗浄便座付ポータブルトイレ装置１は、イス本体２と、温水洗浄便座ユニット（洗浄便座装置）３と、汚水バケツ４と、給水タンク５と、を備えて構成されている。
【００２０】
イス本体２は、４本の支脚により自立可能に構成され、使用者が着座した際に、使用者の肘が位置するあたりに左肘掛部２１、右肘掛部２２が設けられ、使用者の背中に相当する部位に背もたれ２３が設けられている。また、イス本体２は、このイス本体２における座部を、後述の温水洗浄便座ユニット３を構成する便座部３２により構成されている。
【００２１】
温水洗浄便座ユニット３は、詳細を後述するが、ノズルから洗浄水を噴出して利用者の局部を洗浄するための装置であり、イス本体２の左側面部と右側面部との間で保持されており、温水洗浄便座本体部３１と、温水洗浄便座本体部３１の前方に位置する便座部３２と、で構成されている。
【００２２】
汚水バケツ（汚水トレイ、汚水受け）４は、便座部３２の下方に設置されていて、使用された後の洗浄水等を汚水として溜めておくような構成となっている。また、この汚水バケツ４は、イス本体２の前方側へスライド可能に取り付けられている。そして、汚水バケツ４内の汚水を廃棄する場合、イス本体２から汚水バケツ４を取り外し、この汚水バケツ４を廃棄場所へ持ち運んで汚水の廃棄が行われる。
【００２３】
給水タンク５は、図２に示すように、イス本体２の背面側で、温水洗浄便座本体部３１の下方において、左後側の支脚と右後側の支脚との間で保持されている。そして、この給水タンク５には、２つの給水口５ａ、５ｂが設けられている。この２つの給水口５ａ、５
ｂは、それぞれキャップで覆われており、洗浄水として使用するための水を給水タンク５内へ注入する場合、一方のキャップを外して水を注入するような構成となっている。また、給水口５ａには給水ホース２４が接続されており、給水タンク５内に溜められている水を温水洗浄便座本体部３１に給水する際の水路として使用される。
【００２４】
温水洗浄便座付ポータブルトイレ装置１は、以上のような構成となっている。そして、温水洗浄便座付ポータブルトイレ装置１は、給水タンク５に注入された水を用いて、後述のノズルから洗浄水を噴出することにより、使用者の局部を洗浄し、この洗浄後の洗浄水を汚水バケツ４で受ける構成となっている。したがって、一般的な温水洗浄便座付トイレ装置のように、洗浄水として使用する水を供給するための上水道や、洗浄後の洗浄水を流すための下水道との接続を必要としないものとなっている。そして、このような温水洗浄便座付ポータブルトイレ装置１は、例えば、トイレまでの移動が困難な要介護者のベッドの近くにおいて使用することで、介護用のトイレ装置として利用することができる。また、例えば、地震等の災害による上下水道が不通のような状況で使用することで、緊急用のトイレ装置として利用することができる。
【００２５】
次に、温水洗浄便座付ポータブルトイレ装置１を構成する温水洗浄便座ユニット３の詳細について説明する。図３は、温水洗浄便座ユニット３の正面斜視図である。温水洗浄便座ユニット３は、後方に汚水洗浄便座本体部３１を備え、温水洗浄便座本体部３１の前方に便座部３２が連結された構成となっている。なお、温水洗浄便座本体部３１については詳細を後述する。
【００２６】
便座部３２は、開口３２ａを備えた樹脂製の環状部３２ｂで構成されている。そして、この環状部３２ｂに使用者が着座して温水洗浄便座付ポータブルトイレ装置１は使用される。また、便座部３２は、環状部３２ｂの後部が軸支部３２ｃで支持されており、軸支部３２ｃを介して回動できるようになっている。更に、便座部３２では、環状部３２ｂの内部に図示しない便座ヒータが備わっており、この便座ヒータの発熱によって、環状部３２ｂが加温される構成となっている。なお、図示していないが、便座部３２を覆う便座蓋を温水洗浄便座付ポータブルトイレ装置１は備えている。
【００２７】
次に、温水洗浄便座本体部３１の詳細について説明する。図３に示すように、温水洗浄便座本体部３１は、外側を樹脂製の外装カバー３１ａによって覆われている。この外装カバー３１ａには、各種のスイッチからなる操作部が設けられている場合もある。
【００２８】
このような操作部を構成する各種のスイッチには、洗浄水の温度設定を行うためのスイッチや、局部の洗浄の開始・停止を行うスイッチや、後述する洗浄ノズルの位置を調整するためのスイッチ等が設けられており、これらスイッチを操作した信号が制御基板へ入力される。なお、温水洗浄便座付ポータブル装置１は、外装カバー３１ａに操作部を設ける替わりに、温水洗浄便座本体部３１と有線或いは無線により接続可能なリモコン用の操作部を備える構成となっていても構わない。また、図３には示されていないが、温水洗浄便座本体部３１の内部には、商用電源を供給するための電源コード３４が接続される構成となっている。
【００２９】
次に、温水洗浄便座ユニット３、汚水バケツ４、給水タンク５の位置関係について説明を行う。図４は、本実施形態に係る温水洗浄便座付ポータブルトイレ装置１において、温水洗浄便座ユニット３、汚水バケツ４、給水タンク５の位置関係を説明するための背面斜視図である。
【００３０】
図４に示されるように、汚水バケツ４は、温水洗浄便座ユニット３の下部に設置されており、給水タンク５は、温水洗浄便座ユニット３の背面下方に設置されている。そして、
給水タンク５の給水口５ｂと温水洗浄便座ユニット３との間は給水ホース２４により接続され、給水タンク５内の水が温水洗浄便座ユニット３に給水される構成となっている。また、給水ホース２４の給水タンク５側の先端には給水フィルタ２５が設けられており、給水タンク５内に混入した異物やゴミ等が温水洗浄便座ユニット３に吸い込まれることを防止するような構成となっている。なお、給水タンク５を温水洗浄便座付ポータブルトイレ装置１から取り外す際には、給水口５ｂのキャップごと給水フィルタ２５とともに給水ホース２４を引き出すようになっている。
【００３１】
次に、温水洗浄便座本体部３１の内部構造の説明を行う。図５は、温水洗浄便座本体部３１の外側を覆う外装カバー３１ａを外した、温水洗浄便座本体部３１の内部構造の正面斜視図である。
【００３２】
温水洗浄便座本体部３１は、外部に給水ホース接続口４０を備え、内部に給水ポンプ４１と、電磁弁４２と、温水タンク４３と、制御基板ユニット４４と、ノズルユニット４５を備えている。
【００３３】
給水ホース接続口４０には、図４に示したように、給水タンク５からの給水ホース２４が接続される。
【００３４】
給水ポンプ４１は、段違い構造となっている温水タンク４３の低部分の上部に設置されており、給水タンク５の水を温水タンク４３に供給するためのポンプである。給水ポンプ４１は、給水ホース接続口４０と配管ホース５１により接続され、配管ホース５２により電磁弁４２に接続されている。この給水ポンプ４１としては、定量式電磁ポンプやギヤポンプ等、各種のポンプを用いることができる。
【００３５】
この給水ポンプ４１の一構成例を図６に示す。図６に示した構成例では、給水ポンプ４１がギヤポンプにより構成された場合が示されている。
【００３６】
給水ポンプ４１は、図６に示されるように、ポンプ部分を構成する歯車形態の一対のポンプギヤ４１ａ、４１ｂがポンプ室に収容され、一方のポンプギヤ４１ａが整流子付きモータ構成である電動機（モータ）４１ｃによって一方方向に回転することにより、他方のポンプギヤ４１ｂがそれに伴って回転する構成のギヤポンプである。そして、この電動機４１ｃが正転動作することにより、入口側の給水タンク５側の水を、出口側である電磁弁４２、温水タンク４３側に送出する構成となっている。
【００３７】
ここで、電動機４１ｃに印加する電圧の正負を逆転させることにより、電動機４１ｃの動作を逆転動作させることが可能である。このように電動機４１ｃが逆転動作することにより、出口側の水が入力側に送出されることになり、電磁弁４２が開放状態となっていれば、温水タンク４３内の洗浄水が電磁弁４２を介して給水タンク５側に排水されるような構成となっている。
【００３８】
つまり、本実施形態では、給水ポンプ４１は、電動機にて回転するギヤの回転によって給水タンク５の水を温水タンク４３へ供給したり、給水タンク４３内の洗浄水を給水タンク５に排水する構成となっている。
【００３９】
電磁弁４２は、配管ホース５２により給水ポンプ４１に接続されているとともに、配管ホース５３により温水タンク４３に接続されている。このように、電磁弁４２は、給水ポンプ４１と温水タンク４３との間に設けられ、閉鎖状態となることにより温水タンク４３からの洗浄水の逆流を防止するために設けられている。また、電磁弁４２が開放状態となることにより給水ポンプ４１から温水タンク４３への給水が可能となるよう構成されてい
る。
【００４０】
そして、この電磁弁４２は、電圧が印加されている場合には開放状態となり、電圧が印加されていない場合には閉鎖状態となる構成（ノーマルクローズ）となっていて、電圧が印加されていない場合でも給水ポンプ４１と温水タンク４３との間の水流を遮断する構成となっている。そのため、温水タンク４３へ水を給水する場合以外は、電磁弁４２に電圧を印加する必要がないため、消費電力を削減することができる。
【００４１】
温水タンク４３は、ノズルから噴出するための洗浄水を貯留して所定温度まで加温するためのタンクであり、樹脂製の箱状部材からなる。温水タンク４３は、電磁弁４２からの配管ホース５３が接続されているとともに、ノズルユニット４５とも図示されない配管ホースを介して接続されている。
【００４２】
温水タンク４３内には、貯留した洗浄水を加熱するための温水ヒータ（図示せず）が底部に配設されている。また、温水タンク４３の上部には、温水タンク４３内の洗浄水レベル（温水レベル）を検知するフロートスイッチ４３ｂ、及び温水タンク４３内の洗浄水の温度を設定温度に維持するため、温水タンク４３内の洗浄水温度を検知するためのサーミスタ４３ａが設けられている。なお、温水タンク４３には、温水タンク４３内の圧力が外気圧よりも低くなったとき温水タンク４３内と外気を連通する負圧弁（図示せず）を備える場合があるが、温水タンク４３内は、この負圧弁の作用によって外気と連通する以外は、外気と連通しないように気密構造である。
【００４３】
ノズルユニット４５は、おしり用の洗浄水経路とビデ用の洗浄水経路を備えるノズルと、温水タンク４３から供給された温水をおしり用の洗浄水経路と、ビデ用の洗浄水経路とに切り替える水路切換えユニットと、ノズルを前後方向に移動させる移動手段とを備えて構成されている。そして、使用者が、操作部のスイッチを操作することにより、ノズルが移動手段によって汚水バケツ４内へ進出し、洗浄水をノズル先端から噴出することにより、使用者の局部の洗浄が行われる。
【００４４】
制御基板ユニット４４は、ＣＰＵやメモリ等が備わった制御基板を備えており、制御基板と各種の構成部との間は有線・無線によって接続されている。そして、制御基板ユニット４２は、操作部を介して行われた使用者の操作等に基づいて、所定各種の構成部の制御をプログラムに従って行う制御手段として機能する。
【００４５】
この制御基板ユニット４４は、サーミスタ４３ａ、フロートスイッチ４３ｂその他の各種センサからの信号に基づいて、温水タンク４３のヒータ、給水ポンプ４１、電磁弁４２等の制御を行っている。
【００４６】
そして、制御基板ユニット４４は、給水タンク５に溜められている水を温水タンク４３に給水する場合には、電磁弁４２を開放状態とし、給水ポンプ４１を正転動作させることにより給水タンク５に溜められている水が温水タンク４３に給水されるような制御を行う。また、制御基板ユニット４４は、温水タンク４３内に貯留されている洗浄水を排水する場合には、電磁弁４２を開放状態とし、給水ポンプ４１を逆転動作させることにより温水タンク４３内の洗浄水が給水タンク５に排水されるような制御を行う。
【００４７】
ここで、温水タンク４３に給水する場合とは、例えば、温水タンク４３に設けられているフロートスイッチ４３ｂにより温水タンク４３内の洗浄水の量が所定量以下であると検出された場合である。また、使用者が操作部を操作することにより温水タンク４３への給水が指示されたような場合も、給水タンク５に溜められている水を温水タンク４３に給水する場合となる。
【００４８】
また、温水タンク４３内に貯留されている洗浄水を排水する場合とは、例えば、操作部に洗浄水の排水を指示するためのボタンが設けられていて、使用者がこのボタンを操作したような場合である。また、使用者による操作が行われない状態が所定時間以上継続した場合や、周囲の温度が設定温度以下になったような場合に、温水タンク４３内に貯留されている洗浄水を排水するようにしても良い。
【００４９】
次に、本実施形態の温水洗浄便座付ポータブルトイレ装置１における水の流れを図７、図８のブロック図を参照して説明する。図７は、本実施形態の温水洗浄便座付ポータブルトイレ装置１における通常の使用状態での水の流れを示した図である。また、図８は、本実施形態の温水洗浄便座付ポータブルトイレ装置１において、温水タンク４３の洗浄水を排水する際の水の流れを示した図である。
【００５０】
なお、この図７、図８では、図５に示した制御基板ユニット４４における制御機能を制御部５０として図示して説明を行う。
【００５１】
まず、本実施形態の温水洗浄便座付ポータブルトイレ装置１における通常の使用状態での水の流れを図７を参照して説明する。
【００５２】
給水タンク５内の水を温水タンクに給水してノズルユニット４５から洗浄水を噴出する場合、制御部５０は、電磁弁４２に電圧を印加して開放状態とするとともに給水ポンプ４１を正転動作させる。
【００５３】
そのため、図７に示されるように、給水タンク５に蓄えられた水は、給水ポンプ４１により汲み上げられて、電磁弁４２を経由して温水タンク４３に送られる。そして、温水タンク４３では、送られてきた水は洗浄水として貯留されヒータ（図示せず）により所定温度まで加温された後に、水圧によりノズルユニット４５に送られる。そして、ノズルユニット４５では、温水タンク４３から送られてきた洗浄水が人体の局部に向けて噴出される。
【００５４】
次に、本実施形態の温水洗浄便座付ポータブルトイレ装置１において、温水タンク４３の洗浄水を排水する際の水の流れを図８を参照して説明する。
【００５５】
この場合には、制御部５０は、電磁弁４２に電圧を印加して開放状態とするとともに、給水ポンプ４１に印加する電源電圧の正負を入れ替えることにより給水ポンプ４１を逆転動作させる。
【００５６】
そのため、図８に示されるように、温水タンク４３内に貯留されていた洗浄水は、給水ポンプ４１により吸引されることにより、電磁弁４２を経由して給水タンク５に送られることになる。このようにして、温水タンク内４３の洗浄水は、汚水バケツ４ではなく給水タンク５に排水される。当然ながら温水タンク４３内の洗浄水は未使用状態であるため、給水タンク５に排水して戻したとしても衛生上の問題は発生しない。
【００５７】
また、給水タンク５の容量は、温水タンク４３の容量よりも大きくなっている。例えば、給水タンク５の容量が５Ｌで、温水タンク４３の容量が１Ｌのように給水タンク５の容量の方が大きい。そのため、給水タンク５の空き容量が温水タンク４３内の洗浄水の体積以上あれば、温水タンク４３内の全ての洗浄水を給水タンク５内に排水することが可能となる。
【００５８】
その結果、温水洗浄便座付ポータブルトイレ装置１を長期間使用しないために、給水タ
ンク５と温水タンク４３の両方の水を空にしておこうとした場合でも、温水タンク４３内の洗浄水を給水タンク５内に排水することにより、使用者は、給水タンク５を本体から取り外して捨てに行く動作を１回のみ行えばよい。
【００５９】
なお、給水タンク５の空き容量が温水タンク４３内の洗浄水の体積以上無い場合には、一度排水を中止して、１回給水タンク５内の水を捨てに行き、再度温水タンク４３内の洗浄水の排水動作を行ってから給水タンク５内の水を捨てに行く必要がある。しかし、このように給水タンク５内の水を２回捨てに行く必要がある場合でも、汚水バケツ４を本体から取り外して中の水を捨てに行く場合と比較すれば水を捨てに行く手間は削減される。
【００６０】
このように、本実施形態の温水洗浄便座付ポータブルトイレ装置１によれば、温水タンク４３内に貯留されている洗浄水を排水する際には、排水された洗浄水は汚水バケツ４ではなく給水タンク５内に排水されるため、汚水バケツ４内の水を捨てるような手間を発生させることなく、温水タンク４３内に貯留された洗浄水を排水することが可能になる。
【００６１】
なお、一般的には、温水タンク４３から給水ポンプ４１への逆流を防止するためだけであれば、逆止弁を設ければ良い。しかし、本実施形態では、この逆止弁の替わりに電磁弁４２を用いることにより、給水ポンプ４１を用いて温水タンク４３から給水タンク５への排水が可能となっている。
【００６２】
そのため、本実施形態では、温水タンク４３内の洗浄水を排水するための特別な構成を設けることなく通常使用のための給水経路を用いて温水タンク４３内の洗浄水の排水を可能としているため、複雑な構造を設けることなく温水タンク４３内の洗浄水を排水することが可能となっている。
【符号の説明】
【００６３】
１    温水洗浄便座付ポータブルトイレ装置
２    イス本体
３    温水洗浄便座ユニット
４    汚水バケツ
５    給水タンク
５ａ、５ｂ    給水口
２１    左肘掛部
２２    右肘掛部
２３    背もたれ
２４    給水ホース
２５    給水フィルタ
３１    温水洗浄便座本体部
３１ａ    外装カバー
３２    便座部
３２ａ    開口
３２ｂ    環状部
３２ｃ    軸支部
４０    給水ホース接続口
４１    給水ポンプ
４１ａ、４１ｂ    ポンプギヤ
４１ｃ    電動機（モータ）
４２    電磁弁
４３    温水タンク
４３ａ    サーミスタ
４３ｂ    フロートスイッチ
４４    制御基板ユニット
４５    ノズルユニット
５０    制御部
【図１】
2014012093.tif 000003
【図２】
2014012093.tif 000004
【図３】
2014012093.tif 000005
【図４】
2014012093.tif 000006
【図５】
2014012093.tif 000007
【図６】
2014012093.tif 000008
【図７】
2014012093.tif 000009
【図８】
2014012093.tif 000010